(57)【要約】      （修正有）【課題】無線通信システムでユーザ機器が下りリンク信号を受信するための方法を提供する。【解決手段】上位層シグナリング又は下りリンク制御チャネルを介して半持続的スケジューリング関連制御情報を受信するステップと、下りリンク制御チャネルを介して受信された下りリンク制御情報が第１下りリンク制御情報フォーマットであれば、上位層シグナリングを介して受信された候補パラメータ集合のうち、あらかじめ決定された第１パラメータ集合を、下りリンクデータチャネルを復号するために用いるステップと、下りリンク制御チャネルを介して受信された下りリンク制御情報が第２ＤＣＩフォーマットであれば、上位層シグナリングを介して受信された候補パラメータ集合のうち、下りリンク制御情報によって指示される第２パラメータ集合を前記下りリンクデータチャネルを復号するために用いるステップと、を含む。【選択図】なし【特許請求の範囲】
【請求項１】
無線通信システムでユーザ機器が下りリンク信号を受信するための方法において、
上位層シグナリング又は下りリンク制御チャネルを介して半持続的スケジューリング（Ｓｅｍｉ  Ｐｅｒｓｉｓｔｅｎｔ  Ｓｃｈｅｄｕｌｉｎｇ）関連制御情報を受信するステップと、
前記半持続的スケジューリング関連制御情報に基づいて、半持続的スケジューリングされた下りリンクデータチャネルを復号するステップと、を含み、
前記方法は、
前記下りリンク制御チャネルを介して受信された下りリンク制御情報が第１下りリンク制御情報（Ｄｏｗｎｌｉｎｋ  Ｃｏｎｔｒｏｌ  Ｉｎｆｏｒｍａｔｉｏｎ）フォーマットであれば、上位層シグナリングを介して受信された候補パラメータ集合のうち、あらかじめ決定された第１パラメータ集合を、前記下りリンクデータチャネルを復号するために用いるステップと、
前記下りリンク制御チャネルを介して受信された下りリンク制御情報が第２ＤＣＩフォーマットであれば、上位層シグナリングを介して受信された候補パラメータ集合のうち、前記下りリンク制御情報によって指示される第２パラメータ集合を、前記下りリンクデータチャネルを復号するために用いるステップと、を含むことを特徴とする、下りリンク信号受信方法。
【請求項２】
前記候補パラメータ集合のそれぞれは、下りリンクデータチャネルの開始シンボル位置に関する情報を含む、請求項１に記載の下りリンク信号受信方法。
【請求項３】
前記候補パラメータ集合のそれぞれは、特定参照信号と関連したＲＥ（ｒｅｓｏｕｒｃｅ  ｅｌｅｍｅｎｔ）マッピングパターン情報を含む、請求項２に記載の下りリンク信号受信方法。
【請求項４】
前記半持続的スケジューリングされた下りリンクデータチャネルがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームで受信される場合、
前記下りリンクデータチャネルの開始シンボル位置は、前記ＭＢＳＦＮサブフレームの下りリンクデータチャネルの開始シンボル位置に制約される、請求項１に記載の下りリンク信号受信方法。
【請求項５】
前記ユーザ機器は送信モード１０と設定された、請求項１に記載の下りリンク信号受信方法。
【請求項６】
前記ユーザ機器は、少なくとも２つのｅＮＢから下りリンク信号を受信するように設定される、請求項１に記載の下りリンク信号受信方法。
【請求項７】
新しい半持続的スケジューリング関連情報が受信されるまで、前記第１パラメータ集合又は前記第２パラメータ集合を、前記下りリンクデータチャネルを復号するために用いるステップを含む、請求項１に記載の下りリンク信号受信方法。
【請求項８】
無線通信システムにおいて下りリンク制御信号を受信するように構成されたユーザ機器であって、
無線周波数（ｒａｄｉｏ  ｆｒｅｑｕｅｎｃｙ：ＲＦ）ユニットと、
前記ＲＦユニットを制御するように構成されたプロセッサと、
を備え、
前記プロセッサは、上位層シグナリング又は下りリンク制御チャネルを介して半持続的スケジューリング（Ｓｅｍｉ  Ｐｅｒｓｉｓｔｅｎｔ  Ｓｃｈｅｄｕｌｉｎｇ）関連制御情報を受信し、前記半持続的スケジューリング関連制御情報に基づいて、半持続的スケジューリングされた下りリンクデータチャネルを復号するように構成され、
前記プロセッサは、
前記下りリンク制御チャネルを介して受信された下りリンク制御情報が第１下りリンク制御情報（Ｄｏｗｎｌｉｎｋ  Ｃｏｎｔｒｏｌ  Ｉｎｆｏｒｍａｔｉｏｎ）フォーマットであれば、上位層シグナリングを介して受信された候補パラメータ集合のうち、あらかじめ決定された第１パラメータ集合を、前記下りリンクデータチャネルを復号するために用いるように構成され、
前記下りリンク制御チャネルを介して受信された下りリンク制御情報が第２ＤＣＩフォーマットであれば、上位層シグナリングを介して受信された候補パラメータ集合のうち、前記下りリンク制御情報によって指示される第２パラメータ集合を、前記下りリンクデータチャネルを復号するために用いるように構成された、ユーザ機器。
【請求項９】
前記候補パラメータ集合のそれぞれは、下りリンクデータチャネルの開始シンボル位置に関する情報を含む、請求項８に記載のユーザ機器。
【請求項１０】
前記候補パラメータ集合のそれぞれは、特定参照信号と関連したＲＥ（ｒｅｓｏｕｒｃｅ  ｅｌｅｍｅｎｔ）マッピングパターン情報を含む、請求項８に記載のユーザ機器。
【請求項１１】
前記半持続的スケジューリングされた下りリンクデータチャネルがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームで受信される場合、
前記下りリンクデータチャネルの開始シンボル位置は、前記ＭＢＳＦＮサブフレームの下りリンクデータチャネルの開始シンボル位置に制約される、請求項８に記載のユーザ機器。
【請求項１２】
前記ユーザ機器は送信モード１０と設定された、請求項８に記載のユーザ機器。
【請求項１３】
前記ユーザ機器は、少なくとも２つのｅＮＢから下りリンク信号を受信するように設定された、請求項８に記載のユーザ機器。
【請求項１４】
前記プロセッサは、
新しい半持続的スケジューリング関連情報が受信されるまで、前記第１パラメータ集合又は前記第２パラメータ集合を前記下りリンクデータチャネルを復号するために用いるように構成された、請求項８に記載のユーザ機器。
【発明の詳細な説明】
【技術分野】
【０００１】
本発明は、無線通信システムに関し、特に、無線通信システムにおいて下りリンク制御信号を受信又は送信するための方法及びそのための装置に関する。
【背景技術】
【０００２】
機器間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を効率的に使用するための搬送波集成（ｃａｒｒｉｅｒ  ａｇｇｒｅｇａｔｉｏｎ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。
【０００４】
多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００５】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００６】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムと併せて或いはそれに代えてセルラー通信の新しい基盤として台頭している。
【発明の概要】
【発明が解決しようとする課題】
【０００７】
本発明は、無線通信システムにおいて下りリンク制御情報を受信又は送信するための方案を提案する。
【０００８】
本発明で達成しようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
無線通信システムでユーザ機器が下りリンク信号を受信するための方法において、上位層シグナリング又は下りリンク制御チャネルを介して半持続的スケジューリング（Ｓｅｍｉ  Ｐｅｒｓｉｓｔｅｎｔ  Ｓｃｈｅｄｕｌｉｎｇ）関連制御情報を受信するステップと、前記半持続的スケジューリング関連制御情報に基づいて、半持続的スケジューリングされた下りリンクデータチャネルを復号するステップと、を含み、前記方法は、前記下りリンク制御チャネルを介して受信された下りリンク制御情報が第１下りリンク制御情報（Ｄｏｗｎｌｉｎｋ  Ｃｏｎｔｒｏｌ  Ｉｎｆｏｒｍａｔｉｏｎ）フォーマットであれば、上位層シグナリングを介して受信された候補パラメータ集合のうち、あらかじめ決定された第１パラメータ集合を、前記下りリンクデータチャネルを復号するために用いるステップと、前記下りリンク制御チャネルを介して受信された下りリンク制御情報が第２ＤＣＩフォーマットであれば、上位層シグナリングを介して受信された候補パラメータ集合のうち、前記下りリンク制御情報によって指示される第２パラメータ集合を、前記下りリンクデータチャネルを復号するために用いるステップと、を含むことを特徴とする。
【００１０】
好適には、前記候補パラメータ集合のそれぞれは、下りリンクデータチャネルの開始シンボル位置に関する情報を含んでもよい。
【００１１】
好適には、前記候補パラメータ集合のそれぞれは、特定参照信号と関連したＲＥ（ｒｅｓｏｕｒｃｅ  ｅｌｅｍｅｎｔ）マッピングパターン情報を含んでもよい。
【００１２】
好適には、前記半持続的スケジューリングされた下りリンクデータチャネルがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームで受信される場合、前記下りリンクデータチャネルの開始シンボル位置は、前記ＭＢＳＦＮサブフレームの下りリンクデータチャネルの開始シンボル位置に制約されてもよい。
【００１３】
好適には、前記ユーザ機器は送信モード１０と設定されてもよい。
【００１４】
好適には、前記ユーザ機器は、少なくとも２つのｅＮＢから下りリンク信号を受信するように設定されてもよい。
【００１５】
好適には、新しい半持続的スケジューリング関連情報が受信されるまで、前記第１パラメータ集合又は前記第２パラメータ集合を前記下りリンクデータチャネルを復号するために用いるステップを含んでもよい。
【００１６】
本発明の他の実施例に係る、無線通信システムにおいて下りリンク制御信号を受信するように構成されたユーザ機器であって、無線周波数（ｒａｄｉｏ  ｆｒｅｑｕｅｎｃｙ；ＲＦ）ユニットと、前記ＲＦユニットを制御するように構成されたプロセッサと、を備え、前記プロセッサは、上位層シグナリング又は下りリンク制御チャネルを介して半持続的スケジューリング（Ｓｅｍｉ  Ｐｅｒｓｉｓｔｅｎｔ  Ｓｃｈｅｄｕｌｉｎｇ）関連制御情報を受信し、前記半持続的スケジューリング関連制御情報に基づいて、半持続的スケジューリングされた下りリンクデータチャネルを復号するように構成され、前記プロセッサは、前記下りリンク制御チャネルを介して受信された下りリンク制御情報が第１下りリンク制御情報（Ｄｏｗｎｌｉｎｋ  Ｃｏｎｔｒｏｌ  Ｉｎｆｏｒｍａｔｉｏｎ）フォーマットであれば、上位層シグナリングを介して受信された候補パラメータ集合のうち、あらかじめ決定された第１パラメータ集合を、前記下りリンクデータチャネルを復号するために用いるように構成され、前記下りリンク制御チャネルを介して受信された下りリンク制御情報が第２ＤＣＩフォーマットであれば、上位層シグナリングを介して受信された候補パラメータ集合のうち、前記下りリンク制御情報によって指示される第２パラメータ集合を、前記下りリンクデータチャネルを復号するために用いるように構成されたことを特徴とする。
【００１７】
好適には、前記候補パラメータ集合のそれぞれは、下りリンクデータチャネルの開始シンボル位置に関する情報を含んでもよい。
【００１８】
好適には、前記候補パラメータ集合のそれぞれは、特定参照信号と関連したＲＥ（ｒｅｓｏｕｒｃｅ  ｅｌｅｍｅｎｔ）マッピングパターン情報を含んでもよい。
【００１９】
好適には、前記半持続的スケジューリングされた下りリンクデータチャネルがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームで受信される場合、前記下りリンクデータチャネルの開始シンボル位置は、前記ＭＢＳＦＮサブフレームの下りリンクデータチャネルの開始シンボル位置に制約されてもよい。
【００２０】
好適には、前記ユーザ機器は送信モード１０と設定されてもよい。
【００２１】
好適には、前記ユーザ機器は、少なくとも２つのｅＮＢから下りリンク信号を受信するように設定されてもよい。
【００２２】
好適には、前記プロセッサは、新しい半持続的スケジューリング関連情報が受信されるまで、前記第１パラメータ集合又は前記第２パラメータ集合を前記下りリンクデータチャネルを復号するために用いるように構成されてもよい。
【００２３】
以上の課題解決方法は、本発明の実施例の一部に過ぎず、本願発明の技術的特徴が反映された様々な実施例が、当該技術の分野における通常の知識を有する者によって、以下に詳述する本発明の詳細な説明に基づいて導出され、理解されるであろう。
【発明の効果】
【００２４】
本発明の実施例によれば、無線通信システムにおいて下りリンク制御情報を效率的に送受信することができる。
【００２５】
本発明から得られる効果は、以上に言及した効果に制限されず、言及していない他の効果は、以下の記載から、本発明の属する技術の分野における通常の知識を有する者に明確に理解されるであろう。
【図面の簡単な説明】
【００２６】
【図１】無線通信システムで用いられる無線フレーム構造の一例を示す図である。
【図２】無線通信システムで下りリンク／上りリンク（ＤＬ／ＵＬ）スロット構造の一例を示す図である。
【図３】３ＧＰＰ ＬＴＥ／ＬＴＥ−Ａシステムで用いられる下りリンク（ｄｏｗｎｌｉｎｋ、ＤＬ）サブフレーム構造を例示する図である。
【図４】３ＧＰＰ ＬＴＥ／ＬＴＥ−Ａシステムで用いられる上りリンク（ｕｐｌｉｎｋ、ＵＬ）サブフレーム構造の一例を示す図である。
【図５】ＥＰＤＣＣＨ（Ｅｎｈａｎｃｅｄ  Ｐｈｙｓｉｃａｌ  Ｄｏｗｎｌｉｎｋ  Ｃｏｎｔｏｒｌ  Ｃｈａｎｎｅｌ）を示す図である。
【図６】複数の端末のためのＥＰＤＣＣＨを多重化する方法を例示する図である。
【図７】搬送波集成（ｃａｒｒｉｅｒ  ａｇｇｒｅｇａｔｉｏｎ：ＣＡ）技法を説明する概念図である。
【図８】交差搬送波スケジューリング技法が適用される例を示す図である。
【図９】本発明の一実施例に係るＥＰＤＣＣＨ集合に含まれたＰＲＢ対の数を決定する例を示す図である。
【図１０】本発明の一実施例に係るＥＰＤＣＣＨ集合に含まれたＰＲＢ対の数を決定する例を示す図である。
【図１１】本発明の一実施例に係るＥＰＤＣＣＨ集合に含まれたＰＲＢ対を知らせる例を示す図である。
【図１２】本発明の実施例を具現するための装置のブロック図である。
【発明を実施するための形態】
【００２７】
本発明に関する理解を助けるために詳細な説明の一部として含まれる添付の図面は、本発明に関する実施例を提供し、詳細な説明と共に本発明の技術的思想を説明する。
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００２８】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００２９】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３０】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３１】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３２】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３３】
一方、本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３４】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３５】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００３６】
図１を参照すると、３ＧＰＰ ＬＴＥ／ＬＴＥ−Ａシステムで用いられる無線フレームは、１０ｍｓ（３０７２００Ｔs）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔsは、サンプリング時間を表し、Ｔs＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３７】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３８】
表１は、ＴＤＤで、無線フレームにおけるサブフレームのＤＬ−ＵＬ構成（ｃｏｎｆｉｇｕｒａｔｉｏｎ）を例示するものである。
【００３９】
【表１】
2017034712.tif 000002
【００４０】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００４１】
【表２】
2017034712.tif 000003
【００４２】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４３】
【数１】
2017034712.tif 000004
【００４４】
【数２】
2017034712.tif 000005
【００４５】
【数３】
2017034712.tif 000006
【００４６】
１サブフレームにおいてＮＲＢＳＣ個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎPRB＝ｎVRBとなる。局部タイプのＶＲＢには０からＮDLVRB−１順に番号が与えられ、ＮDLVRB＝ＮDLRBである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００４７】
図３は、３ＧＰＰ ＬＴＥ／ＬＴＥ−Ａシステムで用いられる下りリンク（ｄｏｗｎｌｉｎｋ、ＤＬ）サブフレーム構造を例示する図である。
【００４８】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４９】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要求、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００５０】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５１】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表３は、探索空間を定義する集成レベルを例示するものである。
【００５２】
【表３】
2017034712.tif 000007
【００５３】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００５４】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが”Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、”Ｂ”という無線リソース（例、周波数位置）及び”Ｃ”という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、”Ａ”というＲＮＴＩを有しているＵＥはＰＤＣＣＨを検出し、受信したＰＤＣＣＨの情報によって”Ｂ”と”Ｃ”で示されるＰＤＳＣＨを受信する。
【００５５】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ−特定的（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００５６】
図４は、３ＧＰＰ ＬＴＥ／ＬＴＥ−Ａシステムで用いられる上りリンク（ＵＬ）サブフレーム構造の一例を示す図である。
【００５７】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００５８】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５９】
ＰＵＣＣＨは、次の制御情報を送信するために用いることができる。
【００６０】
−  ＳＲ（Ｓｃｈｅｄｕｌｉｎｇ  Ｒｅｑｕｅｓｔ）：上りリンクＵＬ−ＳＣＨリソースを要求するために用いられる情報である。ＯＯＫ（Ｏｎ−Ｏｆｆ  Ｋｅｙｉｎｇ）方式を用いて送信される。
【００６１】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功裏に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６２】
−  ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６３】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。下記の表４に、ＬＴＥ／ＬＴＥ−ＡシステムでＰＵＣＣＨフォーマットとＵＣＩとのマッピング関係を示す。
【００６４】
【表４】
2017034712.tif 000008
【００６５】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００６６】
参照信号（Ｒｅｆｅｒｅｎｃｅ  Ｓｉｇｎａｌ；ＲＳ）
無線通信システムにおいてパケットを送信する場合、送信されるパケットは無線チャネルを介して送信されるため、送信過程で信号の歪みが発生しうる。歪まれた信号を受信側で正しく受信するためには、チャネル情報を用いて受信信号の歪みを補正しなければならない。チャネル情報を取得するためには、送信側と受信側の両方で知っている信号を送信し、該信号がチャネルを介して受信される時の歪み程度からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６７】
多重アンテナを用いてデータを送受信する場合に、正しい信号を受信するためには、各送信アンテナと受信アンテナ間のチャネル状況を把握しなければならない。したがって、各送信アンテナ別に、より詳しくはアンテナポート（アンテナポート）別に個別の参照信号が存在しなければならない。
【００６８】
参照信号は、上りリンク参照信号と下りリンク参照信号とに区別できる。現在ＬＴＥシステムには上りリンク参照信号として、
ｉ）ＰＵＳＣＨ及びＰＵＣＣＨを介して送信された情報のコヒーレント（ｃｏｈｅｒｅｎｔ）な復調のためのチャネル推定のための復調参照信号（ＤＭ−ＲＳ）
ｉｉ）基地局が、ネットワークの異なる周波数における上りリンクチャネル品質を測定するために用いるサウンディング参照信号（Ｓｏｕｎｄｉｎｇ  Ｒｅｆｅｒｅｎｃｅ  Ｓｉｇｎａｌ、ＳＲＳ）がある。
【００６９】
一方、下りリンク参照信号には、
ｉ）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ、ＣＲＳ）
ｉｉ）特定端末のみのための端末−特定参照信号（ＵＥ−ｓｐｅｃｉｆｉｃ  Ｒｅｆｅｒｅｎｃｅ  Ｓｉｇｎａｌ）
ｉｉｉ）ＰＤＳＣＨが送信される場合、コヒーレントな復調のために送信される復調参照信号（ＤＭ−ＲＳ）
ｉｖ）下りリンクＤＭ ＲＳが送信される場合、チャネル状態情報（ＣＳＩ）を伝達するためのチャネル状態情報参照信号（ＣＳＩ−ＲＳ）
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７０】
参照信号は、その目的によって２種類に大別できる。チャネル情報を取得するために用いられる参照信号と、データ復調のために用いられる参照信号とがある。前者は、ＵＥが下りリンク上のチャネル情報を取得できることに目的があるため、広帯域で送信されなければならず、特定サブフレームで下りリンクデータを受信しない端末であってもその参照信号を受信しなければならない。また、これはハンドオーバーなどの状況でも用いられる。後者は、基地局が下りリンク送信時に当該リソースで共に送る参照信号であり、端末は、当該参照信号を受信することによってチャネル測定をし、データを復調することができる。この参照信号は、データの送信される領域で送信しなければならない。
【００７１】
ＥＰＤＣＣＨ（Ｅｎｈａｎｃｅｄ  ＰＤＣＣＨ）一般
多重ノードシステムの導入によって、様々な通信技法の適用が可能になり、チャネル品質の改善を図ることができるが、前述したＭＩＭＯ技法及びセル間協調通信技法を多重ノード環境に適用するためには、新しい制御チャネルの導入が要望される。このような要望から、新しく導入が議論されている制御チャネルがＥＰＤＣＣＨ（Ｅｎｈａｎｃｅｄ−ＰＤＣＣＨ）であり、このチャネルは、既存の制御領域（以下、ＰＤＣＣＨ領域）ではなくデータ領域（以下、ＰＤＳＣＨ領域）に割り当てると決定された。結果として、このようなＥＰＤＣＣＨを介して各端末別にノードに関する制御情報を送信することが可能になり、既存のＰＤＣＣＨ領域が不足する問題も解決することができる。参考として、ＥＰＤＣＣＨは、既存のレガシー端末には提供されず、ＬＴＥ−Ａ端末のみが受信することができる。
【００７２】
図５は、ＥＰＤＣＣＨ、及びＥＰＤＣＣＨによってスケジューリングされるＰＤＳＣＨを例示する図である。
【００７３】
図５を参照すると、ＥＰＤＣＣＨは、一般に、データを送信するＰＤＳＣＨ領域の一部分を定義して用いることができ、端末は、自身のＥＰＤＣＣＨの有無を検出するためのブラインドデコーディング（ｂｌｉｎｄ  ｄｅｃｏｄｉｎｇ）過程を行わなければならない。ＥＰＤＣＣＨは、既存のＰＤＣＣＨと同じスケジューリング動作（すなわち、ＰＤＳＣＨ、ＰＵＳＣＨの制御）を行うが、ＲＲＨのようなノードに接続した端末の個数が増加すると、より多数のＥＰＤＣＣＨがＰＤＳＣＨ領域に割り当てられ、端末が行うべきブラインドデコーディングの回数が増加し、複雑度が増加するという短所がある。
【００７４】
一方、複数の端末のためのＥＰＤＣＣＨを多重化する方法も考慮する必要がある。具体的に、共通のリソース領域、すなわち、共通ＰＲＢセットが設定された状態で、複数端末のＥＰＤＣＣＨが周波数領域又は時間領域でクロスインターリービングされる方式で多重化される技法が提案されたことがある。
【００７５】
図６は、複数の端末のためのＥＰＤＣＣＨを多重化する方法を例示する図である。
【００７６】
特に、図６の（ａ）は、共通ＰＲＢセットがＰＲＢ対（ｐａｉｒ）単位で構成され、これに基づいてクロスインターリービングを行った例を示す。一方、図６の（ｂ）は、共通ＰＲＢセットがＰＲＢ単位のみで構成され、これに基づいてクロスインターリービングを行った例を示す。このような方式は、複数ＲＢにわたる周波数／時間ドメイン側面でダイバーシティ利得が得られるという長所がある。
【００７７】
搬送波集成（Ｃａｒｒｉｅｒ  Ａｇｇｒｅｇａｔｉｏｎ）
以下では、搬送波集成（ｃａｒｒｉｅｒ  ａｇｇｒｅｇａｔｉｏｎ；ＣＡ）技法に関して説明する。図８は、搬送波集成（ＣＡ）を説明する概念図である。
【００７８】
ＣＡは、無線通信システムがより広い帯域を使用するために、端末が上りリンクリソース（又は、コンポーネント搬送波）及び／又は下りリンクリソース（又は、コンポーネント搬送波）で構成された周波数ブロック又は（論理的意味の）セルを複数個用いて１つの大きな論理帯域として使用する方法を意味する。以下では、説明の便宜のために、コンポーネント搬送波という用語に統一するものとする。
【００７９】
図７を参照すると、全体システム帯域（Ｓｙｓｔｅｍ  Ｂａｎｄｗｉｄｔｈ；Ｓｙｓｔｅｍ  ＢＷ）は論理帯域であり、最大１００ＭＨｚの帯域幅を有する。全体システム帯域は、５個のコンポーネント搬送波（ｃｏｍｐｏｎｅｎｔ  ｃａｒｒｉｅｒ；ＣＣ）を含み、それぞれのコンポーネント搬送波は最大２０ＭＨｚの帯域幅を有する。コンポーネント搬送波は、物理的に連続した１つ以上の副搬送波を含む。図７では、それぞれのコンポーネント搬送波がいずれも同一の帯域幅を有するとしたが、これは例示であり、それぞれのコンポーネント搬送波は異なった帯域幅を有することもできる。また、それぞれのコンポーネント搬送波は、周波数領域で互いに隣接している例を示したが、同図は論理的な概念で示したもので、それぞれのコンポーネント搬送波は、物理的に隣接していても、離れていてもよい。
【００８０】
中心搬送波（Ｃｅｎｔｅｒ  ｆｒｅｑｕｅｎｃｙ）はそれぞれのコンポーネント搬送波に対して個別に使用してもよく、物理的に隣接したコンポーネント搬送波に対して共通した１つの中心搬送波を使用してもよい。一例として、図７で、全てのコンポーネント搬送波が物理的に隣接していると仮定すれば、中心搬送波Ａを使用することができる。また、それぞれのコンポーネント搬送波が物理的に隣接していないと仮定すれば、それぞれのコンポーネント搬送波に対して個別に中心搬送波Ａ、中心搬送波Ｂなどを使用することができる。
【００８１】
本明細書で、コンポーネント搬送波はレガシーシステムのシステム帯域に該当し得る。コンポーネント搬送波をレガシーシステムを基準に定義することによって、進展した端末とレガシー端末が共存する無線通信環境で、逆支援性（ｂａｃｋｗａｒｄ  ｃｏｍｐａｔｉｂｉｌｉｔｙ）を提供し、且つシステム設計を容易にさせることができる。一例として、ＬＴＥ−ＡシステムがＣＡを支援する場合に、それぞれのコンポーネント搬送波はＬＴＥシステムのシステム帯域に該当し得る。この場合、コンポーネント搬送波は、１．２５、２．５、５、１０又は２０ＭＨｚ帯域幅のいずれか１つを有することができる。
【００８２】
ＣＡによって全体システム帯域を拡張した場合に、各端末との通信に用いられる帯域はコンポーネント搬送波単位に定義される。端末Ａは、全体システム帯域である１００ＭＨｚを使用することができ、５個のコンポーネント搬送波の全てを用いて通信を行う。端末Ｂ１〜Ｂ５は、２０ＭＨｚ帯域幅のみを使用することができ、１つのコンポーネント搬送波を用いて通信を行う。端末Ｃ１及びＣ２は、４０ＭＨｚ帯域幅を使用することができ、それぞれ２つのコンポーネント搬送波を用いて通信を行う。該２つのコンポーネント搬送波は、論理／物理的に隣接してもよく、隣接しなくてもよい。端末Ｃ１は、隣接していない２つのコンポーネント搬送波を使用する場合を示し、端末Ｃ２は、隣接した２つのコンポーネント搬送波を使用する場合を示す。
【００８３】
ＬＴＥシステムの場合、１個の下りリンクコンポーネント搬送波と１個の上りリンクコンポーネント搬送波を用いるが、ＬＴＥ−Ａシステムでは複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式と交差搬送波スケジューリング（Ｃｒｏｓｓ  ｃａｒｒｉｅｒ  ｓｃｈｅｄｕｌｉｎｇ；ＣＣＳ）方式とに区別できる。
【００８４】
より具体的に、リンク搬送波スケジューリングは、単一コンポーネント搬送波を用いる既存ＬＴＥシステムと同様に、特定コンポーネント搬送波で送信される制御チャネルは、当該特定コンポーネント搬送波を用いてデータチャネルのみをスケジューリングする。
【００８５】
一方、交差スケジューリングは、搬送波指示子フィールド（Ｃａｒｒｉｅｒ  Ｉｎｄｉｃａｔｏｒ  Ｆｉｅｌｄ；ＣＩＦ）を用いて１次コンポーネント搬送波（Ｐｒｉｍａｒｙ  ＣＣ）で送信される制御チャネルが、当該１次コンポーネント搬送波で送信される或いは他のコンポーネント搬送波で送信されるデータチャネルをスケジューリングする。
【００８６】
図８は、交差搬送波スケジューリング技法が適用される例を示す図である。特に、図８では、端末に割り当てられたセル（又は、コンポーネント搬送波）の個数は３個であり、上述した通り、ＣＩＦを用いて交差搬送波スケジューリング技法を行う。ここで、下りリンクセル（又は、コンポーネント搬送波）＃０及び上りリンクセル（又は、コンポーネント搬送波）＃０は、それぞれ１次下りリンクコンポーネント搬送波（すなわち、Ｐｒｉｍａｒｙ  Ｃｅｌｌ；ＰＣｅｌｌ）及び１次上りリンクコンポーネント搬送波と仮定し、残りのコンポーネント搬送波は、副コンポーネント搬送波（すなわち、Ｓｅｃｏｎｄａｒｙ  Ｃｅｌｌ；ＳＣｅｌｌ）と仮定する。
【００８７】
ＣｏＭＰ（Ｃｏｏｒｄｉｎａｔｅｄ  Ｍｕｌｔｉ−Ｐｏｉｎｔ  ｔｒａｎｓｍｉｓｓｉｏｎ  ａｎｄ  ｒｅｃｅｐｔｉｏｎ）一般
３ＧＰＰ ＬＴＥ−Ａシステムの改善されたシステム性能の要求条件に応じて、ＣｏＭＰ送受信技術（ｃｏ−ＭＩＭＯ、共同（ｃｏｌｌａｂｏｒａｔｉｖｅ）ＭＩＭＯ、又はネットワークＭＩＭＯなどと表現することもできる）が提案されている。ＣｏＭＰ技術は、セル−境界（ｃｅｌｌ−ｅｄｇｅ）に位置しているＵＥの性能を増大させ、平均セクター収率（ｔｈｒｏｕｇｈｐｕｔ）を増加させることができる。
【００８８】
一般に、周波数再使用因子（ｆｒｅｑｕｅｎｃｙ  ｒｅｕｓｅ  ｆａｃｔｏｒ）が１である多重−セル環境で、セル−間干渉（Ｉｎｔｅｒ−Ｃｅｌｌ  Ｉｎｔｅｒｆｅｒｅｎｃｅ；ＩＣＩ）によって、セル−境界に位置しているＵＥの性能と平均セクター収率が減少することがある。このようなＩＣＩを低減するために、既存のＬＴＥ／ＬＴＥ−ＡシステムではＵＥ特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的技法を用いて、干渉によって制限を受けた環境でセル−境界に位置しているＵＥが適切な収率性能を持つようにする方法が適用された。しかし、セル当たりの周波数リソースの使用を減らすよりは、ＩＣＩを低減したり、ＩＣＩをＵＥの所望する信号として再使用することが望ましいといえる。上記のような目的を達成するために、ＣｏＭＰ送信技法を適用することができる。
【００８９】
下りリンクの場合に適用可能なＣｏＭＰ技法は、大きく、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに分類することができる。
【００９０】
ＪＰ技法は、ＣｏＭＰ協調単位におけるそれぞれのポイント（基地局）でデータを用いることができる。ＣｏＭＰ協調単位は、協調送信技法に用いられる基地局の集合を意味し、ＣｏＭＰ集合と呼ぶこともできる。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００９１】
ジョイント送信技法は、ＰＤＳＣＨが一度に複数個のポイント（ＣｏＭＰ協調単位の一部又は全部）から送信される技法を意味する。すなわち、単一のＵＥに送信されるデータを複数個の送信ポイントから同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、また、他のＵＥに対する干渉を能動的に消去することもできる。
【００９２】
動的セル選択技法は、ＰＤＳＣＨが一度に（ＣｏＭＰ協調単位における）一つのポイントから送信される技法を意味する。すなわち、特定時点で単一のＵＥに送信されるデータを一つのポイントから送信し、その時点に協調単位における他のポイントは当該ＵＥに対してデータ送信をしない。このとき、当該ＵＥにデータを送信するポイントは動的に選択することができる。
【００９３】
一方、ＣＳ／ＣＢ技法によれば、複数のＣｏＭＰ協調単位が単一のＵＥに対するデータ送信のビームフォーミングを協調的に行うことができる。ここで、データはサービングセルでのみ送信するが、ユーザスケジューリング／ビームフォーミングは、該当のＣｏＭＰ協調単位におけるセルの調整によって決定することができる。
【００９４】
一方、上りリンクの場合に、協調又は調整（ｃｏｏｒｄｉｎａｔｅｄ）多重−ポイント受信は、地理的に離れている複数個のポイントの調整によって送信された信号を受信することを意味する。上りリンクの場合に適用可能なＣｏＭＰ技法は、ジョイント受信（Ｊｏｉｎｔ  Ｒｅｃｅｐｔｉｏｎ；ＪＲ）及び調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）に分類することができる。
【００９５】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位におけるセルの調整によって決定されることを意味する。
【００９６】
なお、ＵＬポイント（すなわち、受信ポイント（ｒｅｃｅｉｖｉｎｇ  ｐｏｉｎｔ；ＲＰ））が複数となる場合をＵＬ ＣｏＭＰと呼び、ＤＬポイント（すなわち、送信ポイント（ｔｒａｎｓｍｉｔｔｉｎｇ  ｐｏｉｎｔ；ＴＰ））が複数となる場合をＤＬ ＣｏＭＰと呼ぶこともできる。
【００９７】
擬似コ−ロケーテッド（ｑｕａｓｉ  ｃｏ−  ｌｏｃａｔｅｄ；ＱＣＬ）
図９には、ＣｏＭＰ集合からＵＥがジョイント送信（ｊｏｉｎｔ  ｔｒａｎｓｍｉｓｓｉｏｎ；ＪＴ）サービスを受ける無線通信システムを示す。すなわち、ＵＥが送信モード１０と設定される場合の例である。
【００９８】
図９で、ＵＥは、ＣｏＭＰ集団に属した全ての送信ポイント（ｔｒａｎｓｍｉｓｓｉｏｎ  ｐｏｉｎｔ；ＴＰ）、例えば、ＴＰ１及びＴＰ２からデータを受信し、これによって、ＵＥは当該ＣｏＭＰ集団に属した全てのＴＰに関するチャネル状態情報を送信することができる。この場合、ＲＳも、当該ＣｏＭＰ集合内の複数のＴＰからＵＥに送信されてもよい。このような場合において、互いに異なるＴＰの互いに異なるＲＳポートからのチャネル推定のための特性を互いに共有できるとすれば、ＵＥの受信プロセシングの負荷と複雑度を減らすことができるだろう。しかも、同一ＴＰの互いに異なるＲＳポートからのチャネル推定のための特性をＲＳポート間に共有できるとすれば、ＵＥの受信プロセシングの負荷と複雑度を減らすことができるだろう。そこで、現在ＬＴＥ（−Ａ）システムは、ＲＳポート間のチャネル推定のための特性を共有する方案を提案している。
【００９９】
このようなＲＳポート間のチャネル推定のために、ＬＴＥ（−Ａ）システムは、「擬似コ−ロケーテッド（ｑｕａｓｉ  ｃｏ−ｌｏｃａｔｅｄ；ＱＣＬ）」という概念を導入した。２つのアンテナポート間について、例えば、一つのアンテナポートを介して一シンボルが伝達される無線チャネルの広範囲特性（ｌａｒｇｅ−ｓｃａｌｅ  ｐｒｏｐｅｒｔｙ）を、他のアンテナポートを介して一シンボルが伝達される無線チャネルから暗示（ｉｎｆｅｒ）可能であると、これら両アンテナポートは擬似コ−ロケーテッドされるといえる。ここで、広範囲特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）及び平均遅延（ａｖｅｒａｇｅ  ｄｅｌａｙ）のうちの一つ以上を含む。以下、擬似コ−ロケーテッドを簡略に「ＱＣＬ」と称する。
【０１００】
すなわち、２つのアンテナポートがＱＣＬされているということは、一つのアンテナポートからの無線チャネルの広範囲特性が、他のアンテナポートからの無線チャネルの広範囲特性と同一であるということを意味する。参照信号（ＲＳ）が送信される複数のアンテナポートを考慮すると、異なった２種類のＲＳが送信されるアンテナポートがＱＣＬされていると、一種類のアンテナポートからの無線チャネルの広範囲特性を、他の種類のアンテナポートからの無線チャネルの広範囲特性に取り替えることができる。
【０１０１】
上記のＱＣＬの概念から、ＵＥは、非−ＱＣＬアンテナポートに対しては、それらのアンテナポートからの無線チャネル間に同一の広範囲特性を仮定することができない。すなわち、この場合、ＵＥは、タイミング取得及びトラッキング（ｔｒａｃｋｉｎｇ）、周波数オフセット推定及び補償、遅延推定及びドップラー推定などについて、それぞれに設定された非−ＱＣＬアンテナポート別に独立したプロセシングを行わなければならない。
【０１０２】
ＱＣＬを仮定し得るアンテナポート間に対して、ＵＥは次のような動作を行うことができる。
【０１０３】
−  遅延拡散及びドップラー拡散について、ＵＥは、あるアンテナポートからの無線チャネルに対する電力−遅延−プロファイル、遅延拡散及びドップラースペクトル、ドップラー拡散推定結果を、他のアンテナポートからの無線チャネルに対するチャネル推定時に用いるウィナーフィルタ（Ｗｉｅｎｅｒ  ｆｉｌｔｅｒ）などに同様に適用することができる。
【０１０４】
−  周波数シフト及び受信されたタイミングについて、ＵＥは、あるアンテナポートに対する時間及び周波数同期化を行った後、同一の同期化を他のアンテナポートの復調に適用することができる。
【０１０５】
−  平均受信電力について、ＵＥは、２つ以上のアンテナポートに対してＲＳＲＰ（Ｒｅｆｅｒｅｎｃｅ  Ｓｉｇｎａｌ  Ｒｅｃｅｉｖｅｄ  Ｐｏｗｅｒ）測定を平均することができる。
【０１０６】
ＵＥが制御チャネル（ＰＤＣＣＨ又はｅＰＤＣＣＨ）にて特定ＤＭＲＳベースのＤＬ−関連ＤＣＩフォーマットを受信すると、ＵＥは、ＤＭＲＳシーケンスから該当のＰＤＳＣＨに対するチャネル推定を行った後、データ復調を行う。例えば、ＵＥがこのようなＤＬスケジューリンググラント（ｇｒａｎｔ）から受信したＤＭＲＳの送信のためのアンテナポート（以下、”ＤＭＲＳポート”という。）の構成（ｃｏｎｆｉｇｕｒａｔｉｏｎ）が、自身のＤＬサービングセル又は他のセルのＣＲＳを送信するためのアンテナポート（以下、”ＣＲＳポート”という。）とのＱＣＬ仮定（ａｓｓｕｍｐｔｉｏｎ）ができると、ＵＥは、当該ＤＭＲＳポートを用いたチャネル推定時に、ＣＲＳポートから推定した無線チャネルの広範囲特性の推定値をそのまま適用し、ＤＭＲＳベース受信機のプロセッサの性能を向上させることができる。
【０１０７】
ＣＲＳは、前述したように、毎サブフレーム及び全体帯域にわたって相対的に高い密度（ｄｅｎｓｉｔｙ）で同報される参照信号であり、一般に、このようなＣＲＳから、上記の広範囲特性に関する推定値をより安定して取得できるためである。これに対し、ＤＭＲＳは、特定スケジューリングされたＲＢに対してはＵＥ−特定に送信され、その上、ｅＮＢが送信に用いたプリコーディング行列（ｐｒｅｃｏｄｉｎｇ  ｍａｔｒｉｘ）がＰＲＧ単位に変わりうることから、ＵＥに受信される有効チャネルはＰＲＧ単位に変わることがあり、このため、多数のＰＲＧがスケジューリングされた場合であっても、広い帯域にわたってＤＭＲＳを無線チャネルの広範囲特性推定用にする場合に性能劣化が発生しうる。ＣＳＩ−ＲＳも、数ｍｓ〜数十ｍｓの送信周期を有することができ、ＲＢ当たり平均してアンテナポート当たり１ＲＥ（ＣＤＭが適用されると、２ＲＥ単位に受信される）と低い密度を有するため、ＣＳＩ−ＲＳも同様、無線チャネルの広範囲特性推定用にする場合に性能劣化が発生しうる。
【０１０８】
すなわち、アンテナポート間のＱＣＬ仮定を、各種の下りリンク参照信号の受信、チャネル推定、チャネル状態報告などに活用することができる。
【０１０９】
ＳＰＳスケジューリング
ＳＰＳ（Ｓｅｍｉ−ｐｅｒｓｉｓｔｅｎｔ  ｓｃｈｅｄｕｌｉｎｇ）とは、制御シグナリングのオーバーヘッドを減らし、制限された制御チャネルのためのリソースを効率的に用いるためのスケジューリング方案である。ＳＰＳは、ＵＥが相対的に長い一定時間の期間において時間−周波数リソースを使用する場合に用いられる方式であり、これによれば、上記の一定時間内に繰り返されるリソース割当てのためのシグナリングは、シグナリングオーバーヘッドを発生させるため、ＵＥに割り当てられる時間−周波数リソース（又は、領域）は一度でスケジューリングされるようにする。したがって、１つのサブフレームでＳＰＳのための時間−周波数リソースがＵＥに割り当てられると、それ以降に周期的に反復されるＳＰＳ−サブフレームでは、別の制御チャネル無しでＵＥは当該時間−周波数リソースを用いることができる。
【０１１０】
ＳＰＳは、特に、タイミング（ｔｉｍｉｎｇ）や必要なリソースが予測可能なＶｏＩＰ（Ｖｏｉｃｅ  ｏｖｅｒ  Ｉｎｔｅｒｎｅｔ  Ｐｒｏｔｏｃｏｌ）のような通信に有用である。ＳＰＳを設定する方法としてＲＲＣとＰＤＣＣＨが用いられる。周期的に割り当てられる無線リソースの間隔（ｉｎｔｅｒｖａｌ）はＲＲＣで指定され、具体的なリソース割当て情報（周波数ドメインＲＡ、ＭＣＳのような送信属性）はＰＤＣＣＨで伝達される。ＳＰＳは、一般的な動的スケジューリングとの区別のためにＳＰＳ Ｃ−ＲＮＴＩのような特別な識別子を用いる。
【０１１１】
本発明は、ＳＰＳ−スケジューリングされたＰＤＳＣＨの開始シンボルを含むＰＤＳＣＨ関連パラメータを決定する方法に関する。本発明の一実施例によって１つのサブフレームに２つ以上のＥＰＤＣＣＨが設定された場合について説明する。
【０１１２】
簡略に上述した通り、ＥＰＤＣＣＨは、制御信号の容量（ｃａｐａｃｉｔｙ）を増加させるために既存のＰＤＳＣＨ領域で送信されるＰＤＣＣＨを意味し、ＵＥ−特定参照信号（ｒｅｆｅｒｅｎｃｅ  ｓｉｇｎａｌ；ＲＳ）を用いてビームフォーミング利得を得ることができるという長所がある。ＥＰＤＣＣＨを使用する場合、ＰＤＳＣＨの開始シンボル位置はＥＰＤＣＣＨの開始シンボル位置と同一であると仮定することができ、ＥＰＤＣＣＨの開始シンボル位置は、ＲＲＣのような上位層信号を用いて伝達することができる。しかし、ＰＤＳＣＨの開始シンボル位置はＥＰＤＣＣＨのそれと独立していてもよく、ＰＣＦＩＣＨの情報（例えば、ＣＦＩ（ｃｏｎｔｒｏｌ  ｆｏｒｍａｔｉｏｎ  ｉｎｄｉｃａｔｏｒ））によって定められたり、あらかじめ定められた値が用いられてもよい。
【０１１３】
ｅＮＢは、ＥＰＤＣＣＨを設定（ｃｏｎｆｉｇｕｒｅ）したり、ＥＰＤＣＣＨの開始シンボル位置を再設定（ｒｅｃｏｎｆｉｇｕｒｅ）したりすることができ、ＥＰＤＣＣＨの開始シンボル位置を含むＥＰＤＣＣＨ設定パラメータは、ＲＲＣのような上位層信号を介してＵＥに伝達される。ＵＥは、ＰＤＣＣＨを介してＳＰＳ設定された後にＥＰＤＣＣＨ設定パラメータを受信してもよく、ＥＰＤＣＣＨ設定パラメータを受信した後にＰＤＣＣＨを介してＳＰＳ設定されてもよい。このように、ＳＰＳ設定とＥＰＤＣＣＨ設定パラメータの受信は同時に行われてもよいが、このとき、ＳＰＳ設定されたサブフレームが、ＵＥがＥＰＤＣＣＨをモニタリングすべきサブフレームに該当すると、当該サブフレームではＳＰＳ設定によってスケジューリングされた周期的リソース領域、すなわち、ＳＰＳ−スケジューリングされたＰＤＳＣＨの開始シンボル位置を決定する必要がある。これは、ＳＰＳ−スケジューリングされたＰＤＳＣＨの開始シンボル位置は、ＰＣＦＩＣＨで示す値（或いは、その値から導出される値）から決定されるはずであるが、このＰＣＦＩＣＨで示す値は、ＲＲＣ信号を介して受信されたＥＰＤＣＣＨ設定パラメータに含まれたＥＰＤＣＣＨの開始シンボル位置（或いは、この位置から導出される位置）と異なりうるためである。
【０１１４】
このため、ＵＥは、ＳＰＳ設定された後にＥＰＤＣＣＨ設定パラメータを受信したり、ＥＰＤＣＣＨ設定パラメータを受信した後にＳＰＳ設定されると、ＰＣＦＩＣＨによって決定されるＰＤＳＣＨ開始シンボル位置に優先して、ＥＰＤＣＣＨ設定パラメータに含まれたＥＰＤＣＣＨの開始シンボル位置（或いは、この位置から導出される位置）を、ＳＰＳ−スケジューリングされたＰＤＳＣＨの開始シンボル位置であると仮定するようにする。ここで、ＳＰＳ−スケジューリングされたＰＤＳＣＨの開始シンボル位置はＥＰＤＣＣＨの開始シンボル位置と同一であるか、又はＥＰＤＣＣＨの開始シンボル位置から導出されると仮定した理由は、このような仮定が適用されない場合、ｅＮＢは当該ＳＰＳ−スケジューリングされたＰＤＳＣＨの開始シンボル位置を別途にＲＲＣシグナリングすることができ、これを受信したＵＥは、当該ＲＲＣシグナリングされた情報をＰＣＦＩＣＨ情報に優先させることができるためである。
【０１１５】
ただし、ＵＥは、ＳＰＳ設定された後にＰＤＳＣＨ開始シンボル位置を含むＥＰＤＣＣＨ設定パラメータを受信したり、ＰＤＳＣＨ開始シンボル位置を含むＥＰＤＣＣＨ設定パラメータを受信した後にＳＰＳ設定されても、ＳＰＳスケジューリングされたサブフレームが、ＵＥがＥＰＤＣＣＨをモニタリングすべきサブフレームに該当しないと、ＳＰＳ−スケジューリングされたＰＤＳＣＨの開始シンボル位置はＰＣＦＩＣＨに従う。これは、ＥＰＤＣＣＨも同様、一部のサブフレームでのみモニタリングされるように設定されうるためである。
【０１１６】
図１０は、上述した本発明の一実施例に係るＳＰＳ−スケジューリングされたＰＤＳＣＨ（以下、ＳＰＳ−ＰＤＳＣＨという。）の開始シンボル位置を決定する例を示す図である。図１０で、ＳＰＳ設定されたＵＥは、ＥＰＤＣＣＨ開始シンボル位置を含むＥＰＤＣＣＨ設定パラメータをＲＲＣシグナリングで受信したが、当該位置（シンボルｎ１）が、ＰＣＦＩＣＨで指示する値（シンボルｎ０）と異なる場合の動作を示している。ＳＰＳ−ＰＤＳＣＨの開始シンボル位置は、ＰＣＦＩＣＨで指示する情報に優先して、ＲＲＣシグナリングされた情報に従うように設定されたため、シンボルｎ１として決定される。
【０１１７】
ＳＰＳ−ＰＤＳＣＨの開始シンボル位置を決定する方法は、ｅＮＢとＵＥ間に共通した約束であり、問題が発生しうる状況、すなわち、ＳＰＳ設定され、且つＵＥがＥＰＤＣＣＨをモニタリングすべきサブフレームにおいて、ｅＮＢは、ＥＰＤＣＣＨ開始シンボルからＳＰＳ−ＰＤＳＣＨをスケジューリング又は送信しなければならず、ＵＥは、ＥＰＤＣＣＨ開始シンボル位置からＳＰＳ−ＰＤＳＣＨをデコーディングしなければならない。
【０１１８】
一方、ｅＮＢはＵＥに２つ以上のＥＰＤＣＣＨ設定パラメータを伝達することができ、このとき、各ＥＰＤＣＣＨ設定パラメータは、各ＥＰＤＣＣＨの開始シンボル位置を含むことができ、ＲＲＣのような上位層信号を介してＵＥに伝達されてもよい。もし、２つ以上のＥＰＤＣＣＨ設定パラメータに含まれたＥＰＤＣＣＨの開始シンボル位置が同一であるとすると、ＵＥは、ＲＲＣシグナリングされたＥＰＤＣＣＨの開始シンボル位置をＳＰＳ−ＰＤＳＣＨの開始シンボル位置と見なす。しかし、２つ以上のＥＰＤＣＣＨ設定パラメータに含まれた各ＥＰＤＣＣＨの開始シンボル位置が互いに異なってもよいが、この場合には、ＳＰＳ−ＰＤＳＣＨの開始シンボル位置を決定しなければならないという問題が発生する。したがって、このような場合、ＵＥは、各ＥＰＤＣＣＨの開始シンボル位置のうち、その値が大きいもの、すなわち、各ＥＰＤＣＣＨの開始シンボル位置のうち、ＯＦＤＭシンボルインデックスが大きい位置をＳＰＳ−ＰＤＳＣＨの開始シンボル位置と仮定する。これは、特に、ＤＰＳ（Ｄｙｎａｍｉｃ  Ｐｏｉｎｔ  Ｓｃｈｅｄｕｌｉｎｇ）のように各ＥＰＤＣＣＨがそれぞれ異なったＴＰから送信される場合、各ＴＰは、好ましくは、干渉環境を考慮して最初のいくつかのＯＦＤＭシンボルを使用しないように設定するはずということを考慮し、ＳＰＳ−ＰＤＳＣＨの開始シンボル位置を保守的（ｃｏｎｓｅｒｖａｔｉｖｅ）に設定することによってセル間干渉の影響を最小化できるようにする。
【０１１９】
図１１は、上述した本発明の一実施例に係るＳＰＳ設定されたＵＥが２つ以上のＥＰＤＣＣＨ関連パラメータを受信した場合、ＳＰＳ−ＰＤＳＣＨの開始シンボル位置を決定する動作を例示する。ＥＰＤＣＣＨ＃１の開始シンボル位置がシンボルｎ１であり、ＥＰＤＣＣＨ＃２の開始シンボル位置がシンボルｎ２であれば、ｍａｘ（ｎ１，ｎ２）がＳＰＳ−ＰＤＳＣＨの開始シンボル位置となる。図２では、ｎ１＞＝ｎ２を仮定し、ＳＰＳ−ＰＤＳＣＨの開始シンボル位置がｎ１と決定された。
【０１２０】
互いに異なる２つ以上のＥＰＤＣＣＨ設定パラメータ（すなわち、２つ以上のＥＰＤＣＣＨの開始シンボル位置）がＵＥにシグナリングされたとき、ＳＰＳ−ＰＤＳＣＨの開始シンボル位置を決定する他の方法として、各ＥＰＤＣＣＨの開始シンボル位置のうち、その値が小さい位置をＳＰＳ−ＰＤＳＣＨの開始シンボル位置として約束することもできる。他の方法としては、問題が発生しうる状況（例えば、ＳＰＳ設定され、且つＥＰＤＣＣＨモニタリングが必要なサブフレーム）では、あらかじめ定められた特定位置をＳＰＳ−ＰＤＳＣＨ開始シンボル位置として約束してもよく、別のＲＲＣシグナリングなどを用いてＳＰＳ−ＰＤＳＣＨの開始シンボル位置をＵＥに別途に知らせてもよい。他の方法として、２つ以上のＥＰＤＣＣＨの中から代表ＥＰＤＣＣＨを設定し、代表ＥＰＤＣＣＨの開始シンボル位置をＳＰＳ−ＰＤＳＣＨの開始シンボル位置と決定することもできる。代表ＥＰＤＣＣＨを決定する方法としては、最初にシグナリングされたＥＰＤＣＣＨを代表として定めることができる。
【０１２１】
他の方式として、ＥＰＤＣＣＨを検出するサブフレーム（すなわち、ＵＥがＥＰＤＣＣＨをモニタリングすべきサブフレーム）でＳＰＳ−ＰＤＳＣＨの開始シンボル位置を定める方法は、ＳＰＳ−ＰＤＳＣＨをスケジューリングした制御チャネルの種類によって決定することもできる。例えば、ＳＰＳをＥＰＤＣＣＨでスケジューリングした場合は、当該スケジューリングＥＰＤＣＣＨを含むＥＰＤＣＣＨ集合を代表ＥＰＤＣＣＨ集合と決定し、ここでのＥＰＤＣＣＨの開始シンボル位置を、ＥＰＤＣＣＨ検出サブフレームにおけるＳＰＳ−ＰＤＳＣＨの開始シンボル位置と決定する。一方、ＳＰＳをＰＤＣＣＨでスケジューリングした場合は、２つのＥＰＤＣＣＨ集合の開始シンボル位置のうちの大きい値を選択したり、最初のＥＰＤＣＣＨ集合を代表として選定するなどの方式を適用して、ＥＰＤＣＣＨ検出サブフレームにおけるＳＰＳ−ＰＤＳＣＨの開始シンボル位置を決定することができる。このような開始シンボル位置の決定方式は、ＳＰＳ−ＰＤＳＣＨの開始シンボル位置に関する明示的な指示子がない場合に限って制限的に適用されてもよい。
【０１２２】
次に、上述した本発明の一実施例をより一般化した他の実施例について説明する。ＵＥに２つ以上のＥＰＤＣＣＨが設定されてもよい場合、各ＥＰＤＣＣＨの開始シンボル位置が互いに異なりうるということについては上述した。一方、各ＥＰＤＣＣＨは互いに異なるＴＰから送信されてもよく、このとき、各ＥＰＤＣＣＨ（或いは、当該ＥＰＤＣＣＨでスケジューリングされるＰＤＳＣＨ）は、ＰＤＳＣＨの開始シンボル位置、特定参照信号（例えば、ＣＲＳ或いはＣＳＩ−ＲＳ）と関連したレートマッチングパターン（又は、ＰＤＳＣＨ ＲＥマッピングパターン）、参照信号送信に用いられるアンテナポート設定（例えば、ＥＰＤＣＣＨ／ＰＤＳＣＨデコーディングに用いられるＤＭ−ＲＳアンテナポート設定）、及び／又は参照信号（例えば、ＤＭ−ＲＳ）シーケンス生成に用いられる擬似ランダムシーケンスの初期値（ｓｅｅｄ）及びスクランブリング識別子（ｓｃｒａｍｂｌｉｎｇ  ＩＤ）などが互いに異なってもよい。
【０１２３】
このため、ＳＰＳ設定されたＵＥの場合、ＳＰＳ−ＰＤＳＣＨの開始シンボル位置の他、ＳＰＳ−ＰＤＳＣＨに適用される列挙した上記パラメータも決定できなければならない。ＵＥは、２つ以上の適用可能なパラメータ集合（すなわち、複数の候補パラメータ集合）の情報を、ＲＲＣのような上位層信号を介して受信することができる。
【０１２４】
Ａ）ＵＥは、ＳＰＳ−ＰＤＳＣＨは常にサービングセルのＣＲＳパターンが適用され、ＳＰＳ−ＰＤＳＣＨ（或いは、ＥＰＤＣＣＨ）デコーディングに用いられるＤＭ−ＲＳはサービングセルのＣＲＳとＱＣＬ（ｑｕａｓｉ  ｃｏ−ｌｏｃａｔｅｄ）されていると仮定する規則を定めることができる。
【０１２５】
Ｂ）ＳＰＳ−ＰＤＳＣＨに適用可能なパラメータ集合のうち、実際に適用されるパラメータ集合を、ＲＲＣのような上位層信号を用いてＵＥにシグナリングすることができる。これを受信したＵＥは、ＳＰＳ−ＰＤＳＣＨにはＲＲＣでシグナリングされたパラメータ集合が適用されると仮定する。特に、このシグナリングは、ＳＰＳスケジューリング（設定）を行いながら併せて送信することができる。
【０１２６】
Ｃ）ＳＰＳ−ＰＤＳＣＨに適用されるパラメータは、Ａ）で上述した通り、常にサービングセルのものに従うようにしてもよいが、当該ＳＰＳをスケジューリングした制御チャネルのものに従うようにしてもよい。言い換えれば、特定時点にＳＰＳを特定制御チャネルでスケジューリングすると、ＳＰＳ−ＰＤＳＣＨに適用されるパラメータは、他の制御チャネルが送信されてＳＰＳ設定を行うまでは、当該特定制御チャネルの送信に適用されたパラメータに従う。例えば、ＰＤＣＣＨでＳＰＳスケジューリングされた場合は、ＰＤＣＣＨのパラメータ、すなわち、サービングセルのパラメータに従うが、ＥＰＤＣＣＨでＳＰＳスケジューリングされた場合は、当該ＥＰＤＣＣＨ送信に用いられたパラメータに従うようにする。
【０１２７】
Ｄ）ＳＰＳ−ＰＤＳＣＨに適用されるパラメータは、当該ＳＰＳをスケジューリングした制御チャネルで指定することができる。言い換えれば、特定時点にＳＰＳを特定制御チャネルでスケジューリングするとしたら、ＳＰＳ−ＰＤＳＣＨに適用されるパラメータは、他の制御チャネルが送信されてＳＰＳ−ＰＤＳＣＨをスケジューリングするまでは、当該特定制御チャネルで指定したパラメータに従う。上記Ｃ）において上記特定制御チャネルに用いられたパラメータとＤ）において上記特定制御チャネルを介して送信される指示子によって示されたパラメータとは異なってもよい。例えば、サービングセルのＣＲＳのパラメータを用いて送信されるＰＤＣＣＨを介して隣接セルのＣＲＳパターンに従ってレートマッチングを行うことが指示された場合、Ｄ）によれば、その後のＳＰＳ−ＰＤＳＣＨは、上記指示された隣接セルのＣＲＳパターンによってレートマッチングが行われなければならない。
【０１２８】
Ｅ）ＳＰＳ−ＰＤＳＣＨに適用されるパラメータは、２つ以上のＥＰＤＣＣＨが設定される場合、当該ＥＰＤＣＣＨのうちの特定ＥＰＤＣＣＨのものに従うと仮定する規則を定めることもできる。例えば、ＵＥが２つ以上のＥＰＤＣＣＨ設定パラメータをＲＲＣを介して受信すると、ＳＰＳ−ＰＤＳＣＨに適用されるパラメータは、常に最初のＥＰＤＣＣＨの設定パラメータに従うように約束されてもよい。
【０１２９】
Ｆ）ＳＰＳ−ＰＤＳＣＨに適用されるパラメータは、あらかじめ定められたものを用いるようにすることもできる。このとき、当該パラメータはＥＰＤＣＣＨのそれと異なってもよい。特に、この方式は、ＳＰＳ−ＰＤＳＣＨをスケジューリングしたチャネルがＰＤＣＣＨかＥＰＤＣＣＨかにかかわらずに適用することができる。
【０１３０】
Ｇ）ＳＰＳ−ＰＤＳＣＨに適用されるパラメータは、動的ＰＤＳＣＨのパラメータにしたがうようにすることもできる。動的ＰＤＳＣＨとは、互いに異なる２つ以上のパラメータ集合を用いて送信することができるＰＤＳＣＨであり、特定ＰＤＳＣＨに対していなかるパラメータ集合が用いられたかは、ＰＤＣＣＨ又はＥＰＤＣＣＨから検出されるＤＣＩに含まれてＵＥに伝達される。このため、ＵＥは、ＤＣＩを解釈して、動的ＰＤＳＣＨで適用されたパラメータを把握でき、ＵＥとｅＮＢ間には、ＳＰＳ−ＰＤＳＣＨに適用されるパラメータが動的ＰＤＳＣＨのそれと同一であると仮定する規則を定めることができる。
【０１３１】
このような動作に関する情報は、あらかじめ定められた規則によって暗黙的に把握されるようにしてもよく、或いはｅＮＢがＵＥに事前に定義されたシグナル（例えば、上位層シグナル或いは物理層シグナル）を用いて知らせてもよい。また、ＳＰＳスケジューリングを行うスケジューリングメッセージの種類（例えば、ＤＣＩフォーマット）によってそれぞれ異なる方式が適用されてもよく、特に、ＰＤＳＣＨに適用されるパラメータを示す指示子がスケジューリングメッセージに存在するか否かによって異なった動作方式が適用されてもよい。
【０１３２】
一例として、上記指示子が存在するスケジューリングメッセージでＳＰＳスケジューリングが行われた場合には、上記のＤ）のような方法を用いるが、上記指示子が存在しないスケジューリングメッセージが用いられた場合には、上記のＡ）、Ｂ）、又はＣ）などを用いる。
【０１３３】
また、ＰＤＳＣＨに適用される各種パラメータの一部は、互いに異なる方式によって決定することもできる。例えば、ＳＰＳ−ＰＤＳＣＨの開始シンボルは、上記Ｃ）によって、ＳＰＳをスケジューリングした制御チャネルのものを使用し、レートマッチングで仮定するＣＲＳは、上記Ａ）によって、サービングセルのＣＲＳを使用し、レートマッチングで仮定するＣＳＩ−ＲＳは、上記Ｂ）によって、ＲＲＣで事前にシグナリングされた一連のパラメータを使用することもできる。特に、このような動作は、ＳＰＳスケジューリングメッセージに関連したパラメータに明示的な指示子がない場合に有用である。
【０１３４】
さらにいうと、ＤＣＩフォーマット２Ｄと設定されたサブフレームにおいて、上記Ｄ）によるＳＰＳ−ＰＤＳＣＨに適用されるパラメータを決定する方式を利用し、ＤＣＩフォーマット０又は１Ａなどに設定されたサブフレームにおいて、上記Ｂ）によるＳＰＳ−ＰＤＳＣＨに適用されるパラメータを決定する方式を利用することができる。
【０１３５】
一方、ＳＰＳ−ＰＤＳＣＨの開始シンボル位置を決定する際、ＭＢＳＦＮサブフレームのようにＰＤＳＣＨの開始シンボルインデックスが最大２に設定されるように約束されているサブフレームでは、ＳＰＳ−ＰＤＳＣＨの開始シンボル位置はシンボル＃２に制約されなければならない。例えば、ＲＲＣシグナリングによって設定されたＥＰＤＣＣＨの開始シンボル位置のうち、大きい位置をＳＰＳ−ＰＤＳＣＨの開始シンボル位置と仮定する場合、その値が２よりも大きいときにはその値を使用し、そうでない（２よりも小さい）ときにはシンボル＃２と仮定する。
【０１３６】
これは、ＥＰＤＣＣＨの開始シンボル位置のうちの大きい位置をＳＰＳ−ＰＤＳＣＨの開始シンボル位置と仮定する場合だけでなく、上述した諸方法、すなわち、ＰＣＦＩＣＨに従う、ＥＰＤＣＣＨの開始シンボル位置のうちの小さい位置に従う、又は代表ＥＰＤＣＣＨの開始シンボル位置に従う方法などのいずれにも適用することができる。
【０１３７】
上述した方法の一部を次の表に比較してまとめる。ＵＥは、ＳＰＳ設定されたが、その前に或いはその後に、ＥＰＤＣＣＨ開始シンボル位置情報を含むＥＰＤＣＣＨ設定パラメータを受信しない（すなわち、ＥＰＤＣＣＨ設定がない）場合には、ＰＣＦＩＣＨで示す値をＳＰＳ−ＰＤＳＣＨの開始シンボル位置（インデックス）と仮定する（下表５で”１”）。ＵＥは、ＳＰＳ設定された状態でＥＰＤＣＣＨ開始シンボル位置情報を受信したり、又はＥＰＤＣＣＨ開始シンボル位置情報を受信した後にＳＰＳ設定されると、ＥＰＤＣＣＨの開始シンボル位置をＳＰＳ−ＰＤＳＣＨの開始シンボル位置と仮定する（次の表で”２”）。仮に、２つ以上のＥＰＤＣＣＨの開始シンボル位置がそれぞれ異なると、ＳＰＳ−ＰＤＳＣＨの開始シンボル位置は、２つの位置のうち、大きい値のものに従う（次の表５で”３”）。ＭＢＳＦＮサブフレームの場合、２つ以上のＥＰＤＣＣＨの開始シンボル位置情報を受信すると、そのうち、大きい値のものに従うが、この値が２よりも小さいと、ＳＰＳ−ＰＤＳＣＨの開始シンボル位置はシンボル＃２と仮定する（次の表で”４”）。
【０１３８】
【表５】
2017034712.tif 000009
【０１３９】
上述した一連の動作は、サブフレームの設定によって選択的に適用することもできる。一例として、ＭＢＳＦＮサブフレームの場合には、ＤＭ−ＲＳベースにＳＰＳ−ＰＤＳＣＨが送信されるため、ＤＭ−ＲＳベースのＥＰＤＣＣＨ設定パラメータに基づく一連の方法のうちの一方法を用いて、ＳＰＳ−ＰＤＳＣＨの開始シンボル位置やレートマッチングで仮定するＣＲＳ、ＣＳＩ−ＲＳなどの情報を取得することができる。一方、非−ＭＢＳＦＮサブフレームの場合には、ＣＲＳベースにＳＰＳ−ＰＤＳＣＨが送信されてもよく、この場合には、ＳＰＳ−ＰＤＳＣＨの開始シンボル位置をサービングセルのＰＣＦＩＣＨから誘導したり隣接セルのＣＲＳに対してはレートマッチングを仮定しないなどの動作を行うことができる。非−ＭＢＳＦＮサブフレームの場合にも、ＤＭ−ＲＳベースにＳＰＳ−ＰＤＳＣＨが送信される場合には、ＤＭ−ＲＳベースのＥＰＤＣＣＨ設定パラメータに基づく上記の一連の方法のいずれかを用いることもできる。
【０１４０】
上述した諸実施例は、ＥＰＤＣＣＨの開始シンボルがＰＤＣＣＨ送信領域と重ならないことを前提とするものと理解できる。このような仮定がない場合には、ＳＰＳ−ＰＤＳＣＨの開始シンボル位置を決定する際、ＥＰＤＣＣＨの開始シンボル位置と、ＰＣＦＩＣＨによって送信される指示子から導出されるＰＤＳＣＨ開始シンボル位置を併せて考慮することができる。例えば、表５の”３”の場合のような方式において、ＥＰＤＣＣＨの開始シンボルインデックスよりも、ＰＣＦＩＣＨから導出されたＰＤＳＣＨ開始シンボルインデックスが大きいと、ＰＣＦＩＣＨから導出された値をＳＰＳ−ＰＤＳＣＨの開始シンボル位置と決定することもできる。
【０１４１】
一方、搬送波集成（Ｃａｒｒｉｅｒ  ａｇｇｒｅｇａｔｉｏｎ；ＣＡ）が設定された場合、ＵＥは、特定サブフレームでＰＤＣＣＨとＥＰＤＣＣＨを同時にモニタリングすることができる。例えば、ＣＣＳ（ｃｒｏｓｓ  ｃａｒｒｉｅｒ  ｓｃｈｅｄｕｌｉｎｇ）が設定されたＵＥの場合、該ＵＥのＰＣｅｌｌのＰＤＳＣＨは、ＰＣｅｌｌで送信されるＥＰＤＣＣＨによってスケジューリングされるが、ＳＣｅｌｌのＰＤＳＣＨは、ＰＣｅｌｌで送信されるＰＤＣＣＨによってＣＣＳされてもよい。このとき、ＰＣｅｌｌのＰＤＳＣＨの開始シンボル位置を決定するために、次のような方法を用いることができる。
【０１４２】
ａ）ＥＰＤＣＣＨの開始シンボル位置を仮定する方法
該当のサブフレームを、ＵＥがＥＰＤＣＣＨをモニタリングすべきサブフレームと仮定する方法であり、特に、ＰＣｅｌｌのＰＤＳＣＨは、ＥＰＤＣＣＨによってスケジューリングされたため、スケジューリングチャネルの開始シンボル位置に従うものと見なすことができる。
【０１４３】
ｂ）ＰＣＦＩＣＨから誘導される開始シンボル位置を仮定する方法
該当のサブフレームを、ＰＤＣＣＨにおいてＵＳＳ（ＵＥ−ｓｐｅｃｉｆｉｃ  Ｓｅａｒｃｈ  Ｓｐａｃｅ）をモニタリングするサブフレームと見なす方法である。特に、ＥＰＤＣＣＨの開始シンボル位置がＲＲＣシグナリングされて設定される場合に、ＰＤＣＣＨ領域と重なるように設定される場合はないとすれば、ＰＣＦＩＣＨから誘導される開始シンボル位置は、ＥＰＤＣＣＨの開始シンボルインデックスより小さい又は等しい値を有するため、リソース活用面でより効率的であるといえる。
【０１４４】
これは、特に、ＰＣｅｌｌのＰＤＳＣＨのスケジューリングにＰＣｅｌｌのＰＤＳＣＨの開始シンボル位置に対する明示的な指示子がない場合に有用である。上記指示子がある場合には、列挙した上記方法の他、当該指示子で示した開始シンボル位置をＰＣｅｌｌのＰＤＳＣＨの開始シンボル位置と決定する方法も適用可能である。特に、ＳＣｅｌｌのＰＤＳＣＨの場合にも、当該ＳＣｅｌｌのＰＤＳＣＨスケジューリングが明示的な指示子を含むと、ＲＲＣで半−静的に定められた開始シンボル位置に優先して、上記指示子が示す値をＳＣｅｌｌのＰＤＳＣＨの開始シンボル位置と決定することができる。
【０１４５】
このとき、ＥＰＤＣＣＨ開始シンボル位置を含むＥＰＤＣＣＨ設定パラメータは、上位層信号を介して設定されたり、又は、あらかじめ定められた値を用いると仮定した。上位層信号がないと、ＥＰＤＣＣＨ開始シンボル位置はＰＣＦＩＣＨから導出されてもよい。
【０１４６】
一方、ＣＣＳ設定されたＵＥは、ＰＣｅｌｌのＥＰＤＣＣＨにてＳＰＳ活性化（ａｃｔｉｖａｔｉｏｎ）され、ＰＣｅｌｌのＳＰＳ−ＰＤＳＣＨがスケジューリングされてもよい。この場合にも、前述した搬送波集成が設定されていない場合に適用されるＳＰＳ−ＰＤＳＣＨ開始シンボル位置及び各種ＳＰＳ−ＰＤＳＣＨのパラメータを決定する方式はいずれもそのまま適用されてもよい。ただし、ＰＣｅｌｌのＳＰＳ−ＰＤＳＣＨの開始シンボル位置の場合、ＵＥは、ＥＰＤＣＣＨをモニタリングすべきサブフレームにおいても、ＳＣｅｌｌに対するＣＣＳのためにＰＤＣＣＨをモニタリングしてもよいため、ＥＰＤＣＣＨの開始シンボル位置ではなくＰＣＦＩＣＨから導出される開始シンボル位置に従うと約束する方式を用いることもできる。
【０１４７】
一方、ＳＣｅｌｌのＰＤＳＣＨが、ＰＣｅｌｌで送信されるＰＤＣＣＨ或いはＥＰＤＣＣＨによってＣＣＳされた場合に、ＳＣｅｌｌのＰＤＳＣＨの開始シンボルは、次のように決定することができる。
【０１４８】
ａ’）ＲＲＣでシグナリングされるＳＣｅｌｌのＰＤＳＣＨの開始シンボル位置に従う。
【０１４９】
ｂ’）ＰＤＣＣＨ／ＥＰＤＣＣＨで送信されるＳＣｅｌｌのＰＤＳＣＨのスケジューリングメッセージにＳＣｅｌｌのＰＤＳＣＨの開始シンボル位置に対する明示的な指示子が含まれている場合、ＵＥは、上記指示子が示す開始シンボル位置に従う。この方法は、上記スケジューリングメッセージがＰＤＣＣＨを介して送信されたかＥＰＤＣＣＨを介して送信されたかに関係なく適用可能である。
【０１５０】
ｃ’）ＰＤＣＣＨ／ＥＰＤＣＣＨで送信されるＳＣｅｌｌのＰＤＳＣＨのスケジューリングにＳＣｅｌｌのＰＤＳＣＨの開始シンボルに対する明示的な指示子が含まれていない場合、上記の方法Ａ）〜Ｇ）のいずれかを用いてＳＣｅｌｌのＰＤＳＣＨの開始シンボル位置又は／及びＳＣｅｌｌのＰＤＳＣＨに適用されるパラメータを決定することができる。ただし、この場合には、ＲＲＣで設定されたＳＣｅｌｌのＰＤＳＣＨの開始シンボル位置が存在するから、当該ＲＲＣによって指定された開始シンボル位置を用いるようにすることができる。
【０１５１】
図１２は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できるＲＦ（Ｒａｄｉｏ  Ｆｒｅｑｕｅｎｃｙ）ユニット１３，２３と、無線通信システム内の通信と関連した各種情報を記憶するメモリ１２，２２と、ＲＦユニット１３，２３及びメモリ１２，２２の構成要素と動作的に接続してこれらの構成要素を制御し、当該装置が前述の本発明の実施例の少なくとも一つを実行するようにメモリ１２，２２及び／又はＲＦユニット１３，２３を制御するように構成されたプロセッサ１１，２１をそれぞれ備える。
【０１５２】
メモリ１２，２２は、プロセッサ１１，２１の処理及び制御のためのプログラムを格納することができ、入／出力される情報を臨時記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０１５３】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後ＲＦユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のためにＲＦユニット１３はオシレータ（ｏｓｃｉｌｌａｔｏｒ）を含むことができる。ＲＦユニット１３はＮｔ個（Ｎｔは１以上の正の整数）の送信アンテナを含むことができる。
【０１５４】
受信装置２０の信号処理過程は、送信装置１０の信号処理過程の逆となる。プロセッサ２１の制御下に、受信装置２０のＲＦユニット２３は送信装置１０から送信された無線信号を受信する。ＲＦユニット２３は、Ｎｒ個の受信アンテナを含むことができ、ＲＦユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。ＲＦユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１５５】
ＲＦユニット１３，２３は一つ以上のアンテナを具備する。アンテナは、プロセッサ１１，２１の制御下に、本発明の一実施例によって、ＲＦユニット１３，２３で処理された信号を外部に送信したり、外部から無線信号を受信してＲＦユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は２個以上のアンテナに接続されてもよい。
【０１５６】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０１５７】
上記の送信装置１０及び／又は受信装置２０は、上述した本発明の実施例のうちの少なくとも１つ又は２つ以上の実施例の組合せを実行することができる。
【０１５８】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１５９】
本発明は、端末、リレー、基地局などのような通信装置に利用可能である。
【図１】
2017034712.tif 000010
【図２】
2017034712.tif 000011
【図３】
2017034712.tif 000012
【図４】
2017034712.tif 000013
【図５】
2017034712.tif 000014
【図６】
2017034712.tif 000015
【図７】
2017034712.tif 000016
【図８】
2017034712.tif 000017
【図９】
2017034712.tif 000018
【図１０】
2017034712.tif 000019
【図１１】
2017034712.tif 000020
【図１２】
2017034712.tif 000021
【手続補正書】
【提出日】平成28年10月13日(2016.10.13)
【手続補正１】
【補正対象書類名】明細書
【補正対象項目名】００２６
【補正方法】変更
【補正の内容】
【００２６】
【図１】無線通信システムで用いられる無線フレーム構造の一例を示す図である。
【図２】無線通信システムで下りリンク／上りリンク（ＤＬ／ＵＬ）スロット構造の一例を示す図である。
【図３】３ＧＰＰ ＬＴＥ／ＬＴＥ−Ａシステムで用いられる下りリンク（ｄｏｗｎｌｉｎｋ、ＤＬ）サブフレーム構造を例示する図である。
【図４】３ＧＰＰ ＬＴＥ／ＬＴＥ−Ａシステムで用いられる上りリンク（ｕｐｌｉｎｋ、ＵＬ）サブフレーム構造の一例を示す図である。
【図５】ＥＰＤＣＣＨ（Ｅｎｈａｎｃｅｄ  Ｐｈｙｓｉｃａｌ  Ｄｏｗｎｌｉｎｋ  Ｃｏｎｔｏｒｌ  Ｃｈａｎｎｅｌ）を示す図である。
【図６】複数の端末のためのＥＰＤＣＣＨを多重化する方法を例示する図である。
【図７】搬送波集成（ｃａｒｒｉｅｒ  ａｇｇｒｅｇａｔｉｏｎ：ＣＡ）技法を説明する概念図である。
【図８】交差搬送波スケジューリング技法が適用される例を示す図である。
【図９】ＣｏＭＰ集成から結合送信（Join Transmission:ＪＴ)をＵＥが受信できるようにするための無線通信システムを示す概念図である。
【図１０】上記の実施形態にしたがってＳＰＳスケジュールされたＰＤＳＣＨ（以下、ＳＰＳ−ＰＤＳＣＨという。）の開始シンボル位置を決定するための方法を示す概念図である。
【図１１】ＳＰＳ構成のＵＥが少なくとも２つのＥＰＤＣＣＨ関連パラメータを受信する時、ＳＰＳ−ＰＤＳＣＨの開始シンボル位置を決定する方法を示す概念図である。
【図１２】本発明の実施例を具現するための装置のブロック図である。
【手続補正２】
【補正対象書類名】特許請求の範囲
【補正対象項目名】全文
【補正方法】変更
【補正の内容】
【特許請求の範囲】
【請求項１】
無線通信システムでユーザ機器が下りリンク信号を受信するための方法において、
上位層シグナリングを介してＳＰＳ（Ｓｅｍｉ  Ｐｅｒｓｉｓｔｅｎｔ  Ｓｃｈｅｄｕｌｉｎｇ）−ＰＤＳＣＨ（Ｐｈｙｓｉｃａｌ  Ｄｏｗｎｌｉｎｋ  Ｓｈａｒｅｄ  ＣＨａｎｎｅｌ）のための複数のパラメータ集合を受信するステップと、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）により運ばれ、サブフレームのＳＰＳを設定するＤＣＩ（Ｄｏｗｎｌｉｎｋ  Ｃｏｎｔｒｏｌ  Ｉｎｆｏｒｍａｔｉｏｎ）を受信するステップと、
前記複数のパラメータ集合の中からのパラメータ集合を使用して、前記サブフレームの前記ＳＰＳ−ＰＤＳＣＨを復号するステップと、を含み、
復号に使用される前記パラメータ集合は、復号に使用されるパラメータ集合を示す指示子が前記ＤＣＩに含まれるか否かに基づいて決定され、
前記複数のパラメータ集合のそれぞれは、前記ＳＰＳ−ＰＤＳＣＨの開始シンボル位置に関する情報を含む、方法。
【請求項２】
前記ＳＰＳ−ＰＤＳＣＨの前記開始シンボル位置は、前記ＤＣＩを運ぶ物理下りリンク制御チャネルの開始シンボル位置とは異なる、請求項１に記載の下りリンク信号受信方法。
【請求項３】
前記ユーザ機器は、前記サブフレームにおいて２つ以上のＥＰＤＣＣＨを受信するようスケジュールされる、請求項１に記載の下りリンク信号受信方法。
【請求項４】
前記２つ以上のＥＰＤＣＣＨは、異なる送信ポイント又は異なるｅＮＢ（ｅｖｏｌｖｅｄ−ＮｏｄｅＢ）から送信される、請求項３に記載の下りリンク信号受信方法。
【請求項５】
前記複数のパラメータ集合のそれぞれは、特定参照信号と関連したＲＥ（ｒｅｓｏｕｒｃｅ  ｅｌｅｍｅｎｔ）マッピングパターン情報を含む、請求項１に記載の下りリンク信号受信方法。
【請求項６】
前記ＳＰＳ−ＰＤＳＣＨがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームで受信される場合、
下りリンクデータチャネルの開始シンボル位置は、前記ＭＢＳＦＮサブフレームの下りリンクデータチャネルの開始シンボル位置に制約される、請求項１に記載の下りリンク信号受信方法。
【請求項７】
前記ユーザ機器は送信モード１０と設定された、請求項１に記載の下りリンク信号受信方法。
【請求項８】
前記決定されたパラメータ集合は、ＳＰＳを設定する新たなＤＣＩを受信するまで、前記ＳＰＳ−ＰＤＳＣＨを復号するために使用される、請求項１に記載の下りリンク信号受信方法。
【請求項９】
前記ＳＰＳを設定するＤＣＩが、復号に使用される前記パラメータ集合を示す指示子を含む場合、前記指示子によって示されるパラメータ集合を使用して前記ＳＰＳ−ＰＤＳＣＨを復号するステップをさらに含む、請求項１に記載の下りリンク信号受信方法。
【請求項１０】
無線通信システムにおいて下りリンク制御信号を受信するためのユーザ機器であって、
無線周波数（ｒａｄｉｏ  ｆｒｅｑｕｅｎｃｙ：ＲＦ）ユニットと、
前記ＲＦユニットを制御するように構成されたプロセッサと、
を備え、
前記プロセッサは、
上位層シグナリングを介してＳＰＳ（Ｓｅｍｉ  Ｐｅｒｓｉｓｔｅｎｔ  Ｓｃｈｅｄｕｌｉｎｇ）−ＰＤＳＣＨ（Ｐｈｙｓｉｃａｌ  Ｄｏｗｎｌｉｎｋ  Ｓｈａｒｅｄ  ＣＨａｎｎｅｌ）のための複数のパラメータ集合を受信し、
ＥＰＤＣＣＨ（Ｅｎｈａｎｃｅｄ  Ｐｈｙｓｉｃａｌ  Ｄｏｗｎｌｉｎｋ  Ｃｏｎｔｏｒｌ  Ｃｈａｎｎｅｌ）で運ばれ、サブフレームのＳＰＳを設定するＤＣＩ（Ｄｏｗｎｌｉｎｋ  Ｃｏｎｔｒｏｌ  Ｉｎｆｏｒｍａｔｉｏｎ）を受信し、
前記複数のパラメータ集合の中からのパラメータ集合を使用して、前記サブフレームの前記ＳＰＳ−ＰＤＳＣＨを復号し、
復号に使用される前記パラメータ集合は、復号に使用されるパラメータ集合を示す指示子が前記ＤＣＩに含まれるか否かに基づいて決定され、
前記複数のパラメータ集合のそれぞれは、前記ＳＰＳ−ＰＤＳＣＨの開始シンボル位置に関する情報を含む、ユーザ機器。